(57)【要約】      （修正有）【課題】実用的な帯域内において、扁平な指向性を確保することができるマイクロホンを提供する。【解決手段】双指向性を有する二つのマイクロホンユニットＭａ，Ｍｂを備え、各マイクロホンユニットＭａ，Ｍｂの指向軸が互いに直交するように配置されたユニット対Ｕと、ユニット対Ｕからの各信号が、９０度の位相差を得るようにしてそれぞれホット側端子およびコールド側端子に対して出力させる位相差分波器とが具備される。位相差分波器は、入出力の位相差が９０度となる周波数がそれぞれに異なる複数の移送器を直列に接続した多段移送回路によりを構成される。【選択図】図１
2017098707.tif 000002
【特許請求の範囲】
【請求項１】
双指向性を有する二つのマイクロホンユニットを備え、前記各マイクロホンユニットの指向軸が互いに直交するように配置されたユニット対と、
前記ユニット対からの各信号が、９０度の位相差を得るようにしてそれぞれホット側端子およびコールド側端子に対して出力させる位相差分波器とが具備され、
前記位相差分波器は、入出力の位相差が９０度となる周波数がそれぞれに異なる複数の移送器を直列に接続した多段移送回路により構成されていることを特徴とする扁平指向性マイクロホン。
【請求項２】
前記ユニット対を構成する一方のマイクロホンと前記ホット側端子との間、および前記ユニット対を構成する他方のマイクロホンと前記コールド側端子との間に、前記多段移送回路がそれぞれ備えられていることを特徴とする請求項１に記載の扁平指向性マイクロホン。
【請求項３】
前記ユニット対を構成するマイクロホンは、コンデンサマイクロホンユニットの組み合わせ、もしくはリボン型マイクロホンの組み合わせであることを特徴とする請求項１または請求項２に記載の扁平指向性マイクロホン。
【請求項４】
前記移送器には、演算増幅器の反転入力端子に一端部が共通接続された第１抵抗および第２抵抗と、前記演算増幅器の非反転入力端子に一端部が共通接続された第３抵抗およびコンデンサが備えられ、
前記第１抵抗と第３抵抗の各他端部は共通接続されて移送器の入力端子を構成すると共に、前記演算増幅器の出力端子が移送器の出力端子を構成し、かつ前記コンデンサの他端部は接地されると共に、前記第２抵抗の他端部は前記演算増幅器の出力端子に接続されていることを特徴とする請求項１ないし請求項３のいずれか１項に記載の扁平指向性マイクロホン。
【請求項５】
前記第１抵抗、第２抵抗および第３抵抗は、互いに抵抗値が同一に設定されていることを特徴とする請求項４に記載の扁平指向性マイクロホン。
【請求項６】
前記移送器には、第１端子に供給される信号によって第２端子と第３端子に互いに逆位相の信号を生成する能動素子と、前記能動素子の第２端子に一端部が共通接続された第１抵抗および第２抵抗と、前記能動素子の第３端子に一端部が共通接続された第３抵抗とコンデンサが備えられ、
前記第１抵抗と第３抵抗の各他端部は直流電源間に接続されると共に、前記能動素子の第１端子が移送器の入力端子を構成し、前記第２抵抗とコンデンサの各他端部が共通接続されて移送器の出力端子を構成していることを特徴とする請求項４に記載の扁平指向性マイクロホン。
【請求項７】
前記第１抵抗と第３抵抗は、互いに抵抗値が同一に設定されていることを特徴とする請求項６に記載の扁平指向性マイクロホン。
【発明の詳細な説明】
【技術分野】
【０００１】
この発明は、水平方向に広く、垂直方向に狭い扁平な指向性を有する扁平指向性マイクロホンの改良に関する。
【背景技術】
【０００２】
例えば会議や講演会などのように話者が水平方向に動く場合の集音や、オーケストラなどのように水平方向に広い音場を形成する状態の集音には、水平方向に広く、垂直方向に狭い扁平な指向性を有する扁平指向性マイクロホンが適している。
このような扁平指向性マイクロホンについては、例えば特許文献１および非特許文献１などに開示されている。
【０００３】
特許文献１に開示されたマイクロホンによると、双指向性を有する２つのリボンマイクロホンユニットが用いられ、これらのリボンマイクロホンユニットは指向軸が９０度交差した状態で配置される。そして、リボンマイクロホンユニットの出力は、電気的に直列に接続され、直列接続により加算された出力が、９０度の位相シフト回路を介して音声信号としてもたらされる。
この結果、水平方向に広く垂直方向に狭い、立体的にドーナツ形状の指向特性を有する扁平指向性マイクロホンを得ることができる。
【０００４】
ところで、特許文献１に開示された扁平指向性マイクロホンにおいて用いられている前記した９０度の位相シフト回路は、コイルとコンデンサの組み合わせにより構成されている。したがって、前記した位相シフト回路によると、音声帯域内において９０度の位相シフト特性が得られるところは、コイルとコンデンサの組み合わせによって決められる共振周波数の一点のみとなり、その共振周波数以外の領域においては、９０度の位相シフト特性を得ることができない。
【０００５】
したがって、特許文献１に開示されたマイクロホンによると、前記した共振周波数の一点のみにおいて、水平方向に広く垂直方向に狭い理想的な扁平指向性を得ることができ、この特定な共振周波数を外れた周波数帯域においては、理想的な扁平指向性を得ることができない。
換言すれば、人間の声を集音するような実用的な帯域のすべての範囲内において、扁平な指向性を確保することは困難であるという技術的な課題がある。
【０００６】
一方、非特許文献１に開示されたマイクロホンＫＥＭ９７０によると、多数のマイクロホンユニットで構成された大規模なマイクロホンアレイが用いられ、このマイクロホンアレイと、ＤＳＰ（Digital Signal Processing ）による信号処理回路が伴われる。
したがって、このマイクロホンＫＥＭ９７０によると、大規模なマイクロホンアレイが必要であることと、ＤＳＰによる信号処理回路も伴われるため、必然的に大型化しコストの上昇は免れないものとなる。
【先行技術文献】
【特許文献】
【０００７】
【特許文献１】米国特許第２５３９６７１号公報
【非特許文献】
【０００８】
【非特許文献１】MICROTECH GEFELL社  マイクロホンＫＥＭ９７０の紹介記事  インターネット＜URL:http://www.microtechgefell.de/index.php/en/microphones/livesound-a-installation/table-a-ceiling-microphones/439-kem870＞〔平成２７年１１月１３日検索〕
【発明の概要】
【発明が解決しようとする課題】
【０００９】
この発明は、前記した技術的な問題点に着目してなされたものであり、少なくとも人間の声を対象とするような実用的な帯域内の全体において、扁平な指向性を確保することができるマイクロホンを提供することを課題とするものである。
加えて、大規模なマイクロホンアレイやＤＳＰなどによる信号処理回路を利用することなく、低価格かつ小型化が可能な扁平指向性マイクロホンを提供することを課題とするものである。
【課題を解決するための手段】
【００１０】
前記した課題を解決するためになされたこの発明に係る扁平指向性マイクロホンは、双指向性を有する二つのマイクロホンユニットを備え、前記各マイクロホンユニットの指向軸が互いに直交するように配置されたユニット対と、前記ユニット対からの各信号が、９０度の位相差を得るようにしてそれぞれホット側端子およびコールド側端子に対して出力させる位相差分波器とが具備され、前記位相差分波器は、入出力の位相差が９０度となる周波数がそれぞれに異なる複数の移送器を直列に接続した多段移送回路により構成されていることを特徴とする。
【００１１】
この場合、好ましい実施の形態においては、前記ユニット対を構成する一方のマイクロホンと前記ホット側端子との間、および前記ユニット対を構成する他方のマイクロホンと前記コールド側端子との間に、前記多段移送回路がそれぞれ備えられた構成が採用される。
【００１２】
そして、この発明に係る扁平指向性マイクロホンにおいて用いられる前記ユニット対を構成するマイクロホンは、コンデンサマイクロホンユニットの組み合わせ、もしくはリボン型マイクロホンの組み合わせが望ましい。
【００１３】
さらに、前記多段移送回路を構成する移送器の好ましい形態は、演算増幅器の反転入力端子に一端部が共通接続された第１抵抗および第２抵抗と、前記演算増幅器の非反転入力端子に一端部が共通接続された第３抵抗およびコンデンサが備えられ、前記第１抵抗と第３抵抗の各他端部は共通接続されて移送器の入力端子を構成すると共に、前記演算増幅器の出力端子が移送器の出力端子を構成し、かつ前記コンデンサの他端部は接地されると共に、前記第２抵抗の他端部は前記演算増幅器の出力端子に接続された構成が採用される。
【００１４】
この場合、前記第１抵抗、第２抵抗および第３抵抗は、互いに抵抗値が同一に設定されていることが望ましい。
【００１５】
また、前記多段移送回路を構成する移送器の他の好ましい形態は、第１端子に供給される信号によって第２端子と第３端子に逆位相の信号を生成する能動素子と、前記能動素子の第２端子に一端部が共通接続された第１抵抗および第２抵抗と、前記能動素子の第３端子に一端部が共通接続された第３抵抗とコンデンサが備えられ、前記第１抵抗と第３抵抗の各他端部は直流電源間に接続されると共に、前記能動素子の第１端子が移送器の入力端子を構成し、前記第２抵抗とコンデンサの各他端部が共通接続されて移送器の出力端子が構成される。
【００１６】
この場合、前記第１抵抗と第３抵抗は、互いに抵抗値が同一に設定されていることが望ましい。
【発明の効果】
【００１７】
この発明に係る扁平指向性マイクロホンは、双指向性を有する二つのマイクロホンユニットを備え、各指向軸が互いに直交するように配置されたユニット対と、このユニット対からの各信号が９０度の位相差を得るようにしてそれぞれホット側端子およびコールド側端子に対して出力させる位相差分波器とを具備することにより構成される。
したがって、非特許文献１に開示されているように、大規模なマイクロホンアレイやＤＳＰなどによる信号処理回路を利用することなく、低価格かつ小型化が可能な扁平指向性マイクロホンを提供することが可能となる。
【００１８】
また、前記位相差分波器は、入出力の位相差が９０度となる周波数がそれぞれに異なる複数の移送器を直列に接続した多段移送回路により構成される。したがって、位相差分波器の総合特性として、前記ユニット対からの各音声信号は、実用的な全帯域内においてほぼ９０度の位相差になされた状態で出力させることができる。
これにより、前記した実用的な帯域内において、ほぼ扁平な指向性を確保することができるマイクロホンを提供することができる。
【図面の簡単な説明】
【００１９】
【図１】この発明に係る扁平指向性マイクロホンの指向特性を含めた外観図である。
【図２】マイクロホンユニット対と、第１の位相差分波器の例を示した回路構成図である。
【図３】図２に示す位相差分波器による位相シフトの状態を示した特性図である。
【図４】図１に示すマイクロホンの水平指向特性を示したポーラパターンである。
【図５】同じく水平方向の指向周波数応答を示した特性図である。
【図６】図１に示すマイクロホンの垂直指向特性を示したポーラパターンである。
【図７】同じく垂直方向の指向周波数応答を示した特性図である。
【図８】マイクロホンユニット対と、第２の位相差分波器の例を示した回路構成図である。
【発明を実施するための形態】
【００２０】
この発明に係る扁平指向性マイクロホンについて、コンデンサマイクロホンユニットを用いた図に示す実施の形態に基づいて説明する。
図１（Ａ）にその基本構成を示したように、この発明に係る扁平指向性マイクロホン１は、双指向性を有する二つのコンデンサマイクロホンユニットＭａ，Ｍｂを備え、コンデンサマイクロホンユニットＭａの指向軸は前後方向に向いており、コンデンサマイクロホンユニットＭｂの指向軸は左右方向に向いている。すなわち、前記各コンデンサマイクロホンユニットＭａ，Ｍｂの指向軸は水平面内において互いに直交するように配置されて、ユニット対Ｕを構成している。
【００２１】
前記コンデンサマイクロホンユニットＭａ，Ｍｂによるユニット対Ｕは、マイクロホンケース２の上半部を構成するガードメッシュ２ａ内に配置されている。そして、マイクロホンケース２の下半部を構成する金属ケース２ｂ内には、後述するインピーダンス変換器を含むマイクアンプや、位相差分波器が搭載された回路基板が収容されている。
これにより扁平指向性マイクロホン１（以下、マイクロホン本体１とも言う。）が構成されている。
【００２２】
図１（Ａ）の上部にポーラパターンで示したように、コンデンサマイクロホンユニットＭａとＭｂの単体による水平方向の指向性は、実線で示す前後方向の双指向性Ｄａと、破線で示す左右方向の双指向性Ｄｂを有することになる。
そして、垂直方向の指向性は、図１（Ａ）においてユニット対Ｕを中央にして実線Ｄｃで描いたように、比較的狭い特性を有することになる。
【００２３】
図２は、前記したユニット対Ｕを構成するマイクロホンユニットＭａおよびＭｂの出力を信号処理する第１の回路構成を示したものである。
なお、この実施の形態において用いられるマイクロホンユニットＭａおよびＭｂは、エレクトレットコンデンサマイクロホンユニットが用いられている。そして、マイクロホンユニットＭａおよびＭｂの例えば振動板側の薄膜電極が基準電位点（グランド）にそれぞれ接続され、前記振動板に対峙するそれぞれの固定電極が、インピーダンス変換回路を含むマイクアンプＡａおよびＡｂに接続されている。
【００２４】
図２に示す回路構成においては、マイクアンプＡａの出力端子に、３つの移送器を直列に接続した多段移送回路Ｐａが接続されている。各位相器はそれぞれに演算増幅器ＯＰ１，ＯＰ２，ＯＰ３を備えており、３段目の移送器の出力端子が、マイクロホン本体１に配置された出力コネクタの端子ピンＰ２（ホット側出力端子）に接続されている。
【００２５】
また、マイクアンプＡｂの出力端子には、２つの移送器を直列に接続した多段移送回路Ｐｂが接続されている。各位相器にはそれぞれに演算増幅器ＯＰ４，ＯＰ５が備えられており、２段目の移送器の出力端子がマイクロホン本体１に配置された前記出力コネクタの端子ピンＰ３（コールド側出力端子）に接続されている。
また、出力コネクタの端子ピンＰ１は、マイクロホン本体１の基準電位点（グランド）に接続されている。
【００２６】
演算増幅器を用いて形成された各移送器は、それぞれ同一の回路構成が採用されている。例えば演算増幅器ＯＰ１を用いた移送器においては、演算増幅器ＯＰ１の反転入力端子に一端部が共通接続された第１抵抗Ｒ１および第２抵抗Ｒ２と、前記演算増幅器ＯＰ１の非反転入力端子に一端部が共通接続された第３抵抗Ｒ３およびコンデンサＣ１が備えられる。そして、前記第１抵抗Ｒ１と第３抵抗Ｒ３の各他端部は共通接続されて移送器の入力端子を構成すると共に、前記演算増幅器ＯＰ１の出力端子が移送器の出力端子を構成し、かつ前記コンデンサＣ１の他端部は接地されると共に、前記第２抵抗Ｒ２の他端部は前記演算増幅器ＯＰ１の出力端子に接続されている。
前記したとおり、図２に示す他の移送器の回路構成についても同一であり、したがって他の各移送器に備えられる第１ないし第３の抵抗に対応する各符号の記載は図において省略している。
【００２７】
前記した移送器は、オールパス回路もしくはオールパスフィルタとも呼ばれており、前記第１ないし第３の抵抗Ｒ１，Ｒ２，Ｒ３の各抵抗値は同一の値（＝Ｒ）に設定されていることが望ましい。この時の移送器の入出力の位相差が９０度となる周波数ｆは、次のとおりとなる。ただし前記コンデンサＣ１の容量はＣとする。
ｆ＝１／２πＣＲ  ……（式１）
すなわち、移送器単体の入出力の位相差が９０度となる周波数ｆは、前記式１で求められる一点のみとなる。
【００２８】
そこで、図２に示す実施の形態においては、直列接続される各移送器は、その入出力の位相差が９０度となる周波数ｆが、互いに異なるように設定されている。
これには、各移送器に備えられる前記した第１ないし第３の抵抗Ｒ１，Ｒ２，Ｒ３の抵抗値は同一の値（＝１０ＫΩ）に設定すると共に、各コンデンサ（Ｃ１〜Ｃ５）の値を適宜選定することで、個々の移送器の入出力の位相差が９０度となる周波数ｆを、それぞれ異ならせている。
【００２９】
なお、図２に示す回路構成においては、コンデンサマイクロホンユニットＭａおよびＭｂは、グランドを介して互いに接続されており、またコンデンサマイクロホンユニットＭａには、マイクアンプＡａを介して３つ移送器を直列に接続した多段移送回路Ｐａが接続されている。同様にコンデンサマイクロホンユニットＭｂには、マイクアンプＡｂを介して２つ移送器を直列に接続した多段移送回路Ｐｂが接続されている。
したがってホット側端子Ｐ２と、コールド側端子Ｐ３との間には、コンデンサマイクロホンユニットＭａおよびＭｂに、多段移送回路ＰａとＰｂの直列回路からなる位相差分波器が挿入されているものと見なすことができる。
【００３０】
ここで、図２に示す構成においては、各移送器に備えられた各コンデンサＣ１〜Ｃ５の容量の一例として、それぞれ次に示す値のものが採用されている。
Ｃ１＝２７ｎＦ，Ｃ２＝２２ｎＦ，Ｃ３＝２．２ｎＦ，Ｃ４＝２０ｎＦ，Ｃ５＝８ｎＦ
【００３１】
前記した値の各コンデンサＣ１〜Ｃ５を用いた場合における位相差分波器の総合特性を図３に示している。すなわちこの特性によると、約１００Ｈｚ〜５ＫＨｚの範囲にわたって位相差がほぼ９０度となる特性を有しており、これは前記ホット側端子Ｐ２と、コールド側端子Ｐ３との間の位相特性を示している。
これは人間の声を集音するような実用的な帯域のすべての範囲内において、位相差がほぼ９０度となる特性を有するものとなる。
【００３２】
図１（Ａ）に戻り、前後方向に指向軸を有するマイクロホンユニットＭａの感度をＫとすると、その出力信号は、Ｋｃｏｓθとして表され、左右方向に指向軸を有するマイクロホンユニットＭｂの感度を同じくＫとすると、その出力信号は、Ｋｓｉｎθとして表すことができる。そしてユニットＭｂがユニットＭａに対して位相差が９０度の場合、２つの信号の合成成分は、次のとおりとなる。ただしｊは複素数を示す。
Ｋ（ｃｏｓθ＋ｊｓｉｎθ）  ……（式２）
【００３３】
前記式２に示すＫ（ｃｏｓθ＋ｊｓｉｎθ）の絶対値は一定であるため、これは次に示す数式１として表すことができる。
【数１】
2017098707.tif 000003
したがって、２つの双指向性ユニットＭａ，Ｍｂの信号間の位相差が９０度となる帯域においては、図１（Ｂ）および（Ｃ）に示すように、ドーナツ形の指向性Ｄｘを得ることができるものとなる。なお、図１（Ｃ）はマイクロホンと指向特性の斜視図である。
すなわち、図１（Ｂ）の上部にポーラパターンで示したように、水平方向には３６０度に感度を有する無指向性になされ、垂直方向にはユニット対Ｕを中央にして実線Ｄｃで描いたように、比較的狭い指向特性を有する扁平な指向特性を有するマイクロホンを得ることができる。
したがって、この実施の形態によると、前記した偏平な指向特性は図３に基づいて説明したように、約１００Ｈｚ〜５ＫＨｚの範囲にわたって得ることができる。
【００３４】
図４〜図７は、図１〜図３に示す各構成ならびに位相シフト特性を備えた扁平指向性マイクロホンのポーラパターンと、周波数応答特性の実測値を示したものである。
図４は、マイクロホンの水平方向の指向性をポーラパターンで示しており、水平方向の指向性は、ほぼ無指向性なされていることが理解できる。
そして、図５は水平方向の周波数応答特性を示しており、ａは音源に対して０度、ｂは９０度、ｃは１８０度の場合の特性を示している。図５に示す特性から理解できるとおり、約１００Ｈｚ〜５ＫＨｚの実用的な集音範囲においては、水平方向の正面、側面および背面のいずれにおいても、周波数応答の揃った特性を得ることができる。
【００３５】
また図６は、マイクロホンの垂直方向の指向性をポーラパターンで示しており、これによると、正面および背面において感度が高く、垂直方向においては感度が低いことが理解できる。すなわち図４に示す水平方向の指向性を含めると、このマイクロホンは、立体的にはドーナツ形状の指向性を備えていることが理解できる。
そして、図７は垂直方向の周波数応答特性を示しており、ｄは音源に対して０度、ｅは９０度、ｆは１８０度の場合の特性を示している。図７に示す特性から理解できるとおり、約１００Ｈｚ〜５ＫＨｚの実用的な集音範囲においては、水平方向の正面および背面おいて、周波数応答の揃った特性を得ることができる。
【００３６】
なお、図２に示した実施の形態においては、前記した双指向性ユニットＭａ側に、３段の移送器による多段移送回路Ｐａが接続され、双指向性ユニットＭｂ側に、２段の移送器による多段移送回路Ｐｂが接続されて、５次のオールパスフィルタによる位相差分波器が構成されているが、前記したフィルタの次数（移送器の段数）を増やすことで、偏平な指向性が得られる帯域を広げることができる。
【００３７】
また、例えば双指向性ユニットＭａ側に接続される多段移送回路Ｐａのみにおいて、９０度の位相差分波器を構成し、双指向性ユニットＭｂ側はマイクアンプＡｂからの出力が、直接端子ピンＰ３（コールド側出力端子）に出力させる構成にしても、同様に扁平型指向特性を有するマイクロホンを得ることが可能となる。
これは、双指向性ユニットＭｂ側に接続される多段移送回路Ｐｂのみにおいて、９０度の位相差分波器を構成し、双指向性ユニットＭａ側はマイクアンプＡａからの出力が、直接端子ピンＰ２（ホット側出力端子）に出力させる構成にしても、同様のことが言える。
【００３８】
図８は、マイクロホンユニットＭａおよびＭｂの出力を信号処理する第２の回路構成を示すものである。
図８に示す回路構成においては、マイクロホンユニットＭａに接続されたマイクアンプＡａの出力端子に、多段移送回路Ｐａが接続されており、最終段の移送器の出力端子が、マイクロホン本体１に配置された出力コネクタの端子ピンＰ２（ホット側出力端子）に接続されている。同様にマイクロホンユニットＭｂに接続されたマイクアンプＡｂの出力端子に、多段移送回路Ｐｂが接続されており、最終段の移送器の出力端子が、マイクロホン本体１に配置された出力コネクタの端子ピンＰ３（コールド側出力端子）に接続されている。また出力コネクタの端子ピンＰ１は、マイクロホン本体１の基準電位点（グランド）に接続されている。
【００３９】
この実施の形態における各移送器は、第１端子としてのベースに供給される信号によって第２端子としてのコレクタと第３端子としてのエミッタに互いに逆位相の信号を生成する能動素子、すなわちバイポーラトランジスタを用いてそれぞれ形成されている。
例えば第１のトランジスタＴ１を用いた移送器においては、トランジスタＴ１のコレクタに一端部が共通接続された第１抵抗１１および第２抵抗１２と、前記トランジスタＴ１のエミッタに一端部が共通接続された第３抵抗Ｒ１３とコンデンサＣ１１が備えられている。そして、前記第１抵抗Ｒ１１と第３抵抗Ｒ１３の各他端部は直流電源（Ｖｃｃ−グランド）間に接続されると共に、前記トランジスタのベースが移送器の入力端子を構成し、前記第２抵抗Ｒ１２とコンデンサＣ１１の各他端部が共通接続されて移送器の出力端子を構成している。
【００４０】
この場合、前記した移送器におけるは第１抵抗Ｒ１１と第３抵抗Ｒ１３の抵抗値は、互いに同一の値に設定されていることが望ましい。
そして、前記直流電源（Ｖｃｃ−グランド）間には、ベースバイアス抵抗Ｒ１４とＲ１５が直列接続され、その接続中点が前記トランジスタＴ１のベースに接続され、トランジスタＴ１のベースに直流バイアスを与えている。
なお、図８に示すトランジスタＴ２〜Ｔ４を用いた他の移送器の回路構成についても同一であり、したがって他の各移送器に備えられる前記各抵抗およびコンデンサに対応する符号の記載は図において省略している。
【００４１】
前記した移送器においては、トランジスタＴ１のコレクタおよびエミッタにそれぞれ一端部が接続された抵抗Ｒ１２の値およびコンデンサＣ１１の容量に応じて、移送器の入出力の位相差が９０度となる周波数ｆが決定される。これは、図２に示した演算増幅器を用いた移送器と同様の機能を果たすものとなる。
したがって、抵抗Ｒ１２の値およびコンデンサＣ１１の容量の組み合わせを、それぞれの移送器に応じて異ならせることで、その入出力の位相差が９０度となる周波数ｆを異ならせた各移送器を得ることができる。
【００４２】
そして、ホット側端子Ｐ２と、コールド側端子Ｐ３との間には、コンデンサマイクロホンユニットＭａおよびＭｂに、複数の移送器を直列接続した多段移送回路ＰａとＰｂによる位相差分波器が挿入されているものと見なすことができる。したがって、前記図８に示す回路構成においても、すでに説明した図３に示した例と同様に、実用的な帯域の範囲内において、前記したホット側端子Ｐ２と、コールド側端子Ｐ３との間の位相差がほぼ９０度となる位相特性を持たせることができる。
したがって、図８に示した回路構成を利用しても、水平方向に３６０度に感度を有する無指向性を呈し、垂直方向には比較的狭い指向特性を有する扁平指向性のマイクロホンを提供することができる。
【００４３】
なお、図８に示した各移送器には、それぞれバイポーラトランジスタが用いられているが、これらはＦＥＴなどのユニポーラトランジスタを用いても同様の作用効果を得ることができる。
また、前記した実施の形態においては、双指向性を有する二つのマイクロホンユニットとしてコンデンサマイクロホンユニットの組み合わせが用いられているが、コンデンサマイクロホンユニットに代えて、リボン型マイクロホンの組み合わせについても、好適に利用することができる。
【符号の説明】
【００４４】
１          扁平指向性マイクロホン（マイクロホン本体）
２          マイクロホンケース
２ａ        ガードメッシュ
２ｂ        金属ケース
Ａａ，Ａｂ  マイクアンプ
Ｃ１〜Ｃ５  コンデンサ
Ｃ１１      コンデンサ
Ｍａ，ＭＢ  コンデンサマイクロホンユニット
ＯＰ１〜ＯＰ５  演算増幅器
Ｐａ，Ｐｂ  多段移送回路（位相差分波器）
Ｐ１        端子ピン（グランド）
Ｐ２        端子ピン（ホット側出力端子）
Ｐ３        端子ピン（コールド側出力端子）
Ｒ１〜Ｒ３  抵抗
Ｒ１１〜Ｒ１５  抵抗
Ｔ１〜Ｔ４  能動素子（トランジスタ）
Ｕ          ユニット対
【図１】
2017098707.tif 000004
【図２】
2017098707.tif 000005
【図３】
2017098707.tif 000006
【図４】
2017098707.tif 000007
【図５】
2017098707.tif 000008
【図６】
2017098707.tif 000009
【図７】
2017098707.tif 000010
【図８】
2017098707.tif 000011